(57)【特許請求の範囲】
【請求項１】
熱媒加熱用の燃焼式加熱装置と、前記燃焼式加熱装置の燃焼により熱媒を加熱する第１熱交換器と、熱媒循環ポンプにて圧送される熱媒を循環する熱媒循環回路と、浴槽水循環ポンプにて圧送される浴槽水を浴槽を介して循環する浴槽水循環回路と、前記熱媒循環回路を通流する熱媒と前記浴槽水循環回路を通流する浴槽水とを熱交換させて浴槽水を加熱する第２熱交換器とを備えた風呂装置において、
運転を制御する運転制御部を備え、
当該運転制御部が、前記燃焼式加熱装置の作動状態で、前記熱媒循環ポンプを作動させ前記熱媒循環回路に熱媒を循環させると共に前記浴槽水循環ポンプを作動させ前記浴槽水循環回路に浴槽水を循環させて、浴槽水を追焚きする追焚き運転を完了するときで、前記燃焼式加熱装置を停止した後に、前記第２熱交換器における熱媒から浴槽水への単位時間当たりでの回収熱量関連値である瞬時回収熱量関連値を導出すると共に、導出される前記瞬時回収熱量関連値が予め設定される瞬時回収熱量関連閾値未満となった時点以降に、前記熱媒循環ポンプ及び前記浴槽水循環ポンプを停止するものであり、
前記運転制御部は、前記浴槽水循環回路で前記第２熱交換器出口での浴槽水の温度を検出する浴槽水出温度検出手段にて検出される浴槽水往き温度と、前記浴槽水循環回路で前記第２熱交換器入口での浴槽水の温度を検出する浴槽水入温度検出手段にて検出される浴槽水戻り温度との温度差に基づいて、前記瞬時回収熱量関連値を導出する、
又は、前記熱媒循環回路で前記第２熱交換器への熱媒入温度を検出する熱媒入温度検出手段にて検出される熱媒入温度と、前記熱媒循環回路で前記第２熱交換器からの熱媒出温度を検出する熱媒出温度検出手段にて検出される熱媒出温度との温度差に基づいて、前記瞬時回収熱量関連値を導出する風呂装置。
【請求項２】
前記運転制御部は、第１の前記瞬時回収熱量関連値と、当該第１の瞬時回収熱量関連値とは異なる第２の前記瞬時回収熱量関連値とを導出可能に構成され、
前記運転制御部は、第１の前記瞬時回収熱量関連値が予め設定される第１の前記瞬時回収熱量関連閾値未満となった時点以降に、前記熱媒循環ポンプを停止すると共に、第２の前記瞬時回収熱量関連値が第１の前記瞬時回収熱量関連閾値とは異なり予め設定される第２の前記瞬時回収熱量関連閾値未満となった時点以降に、前記浴槽水循環ポンプを停止する請求項１に記載の風呂装置。
【請求項３】
前記運転制御部は、前記浴槽水循環ポンプを停止する時点を、前記熱媒循環ポンプを停止する時点と同時か、又はそれよりも遅い時点とする請求項１又は２に記載の風呂装置。
【請求項４】
熱媒加熱用の燃焼式加熱装置と、前記燃焼式加熱装置の燃焼により熱媒を加熱する第１熱交換器と、熱媒循環ポンプにて圧送される熱媒を循環する熱媒循環回路と、浴槽水循環ポンプにて圧送される浴槽水を浴槽を介して循環する浴槽水循環回路と、前記熱媒循環回路を通流する熱媒と前記浴槽水循環回路を通流する浴槽水とを熱交換させて浴槽水を加熱する第２熱交換器とを備えた風呂装置の制御方法において、
前記燃焼式加熱装置の作動状態で、前記熱媒循環ポンプを作動させ前記熱媒循環回路に熱媒を循環させると共に前記浴槽水循環ポンプを作動させ前記浴槽水循環回路に浴槽水を循環させて、浴槽水を追焚きする追焚き運転を完了するときで、前記燃焼式加熱装置を停止した後に、前記第２熱交換器における熱媒から浴槽水への単位時間当たりでの回収熱量関連値である瞬時回収熱量関連値を導出する瞬時回収熱量関連値導出工程と、
前記瞬時回収熱量関連値導出工程にて導出される前記瞬時回収熱量関連値が予め設定される瞬時回収熱量関連閾値未満となった時点以降に、前記熱媒循環ポンプ及び前記浴槽水循環ポンプを停止する流体循環制御工程とを有し、
前記瞬時回収熱量関連値導出工程では、前記浴槽水循環回路で前記第２熱交換器出口での浴槽水の温度を検出する浴槽水出温度検出手段にて検出される浴槽水往き温度と、前記浴槽水循環回路で前記第２熱交換器入口での浴槽水の温度を検出する浴槽水入温度検出手段にて検出される浴槽水戻り温度との温度差に基づいて、前記瞬時回収熱量関連値を導出する、
又は、前記熱媒循環回路で前記第２熱交換器への熱媒入温度を検出する熱媒入温度検出手段にて検出される熱媒入温度と、前記熱媒循環回路で前記第２熱交換器からの熱媒出温度を検出する熱媒出温度検出手段にて検出される熱媒出温度との温度差に基づいて、前記瞬時回収熱量関連値を導出する風呂装置の制御方法。
【発明の詳細な説明】
【技術分野】
【０００１】
本発明は、熱媒加熱用の燃焼式加熱装置と、前記燃焼式加熱装置の燃焼により熱媒を加熱する第１熱交換器と、熱媒循環ポンプにて圧送される熱媒を循環する熱媒循環回路と、浴槽水循環ポンプにて圧送される浴槽水を浴槽を介して循環する浴槽水循環回路と、前記熱媒循環回路を通流する熱媒と前記浴槽水循環回路を通流する浴槽水を熱交換させて浴槽水を加熱する第２熱交換器とを備えた風呂装置、及びその制御方法に関する。
【背景技術】
【０００２】
従来、燃焼式加熱装置の燃焼により熱媒を加熱する第１熱交換器と、熱媒循環ポンプにて圧送される熱媒を循環する熱媒循環回路と、浴槽水循環ポンプにて圧送される浴槽水を浴槽を介して循環する浴槽水循環回路と、熱媒循環回路を通流する熱媒と浴槽水循環回路を通流する浴槽水を熱交換させて浴槽水を加熱する第２熱交換器とを備えた風呂装置として、燃焼式加熱装置を作動させて第１熱交換器にて熱媒を加熱している状態で、熱媒循環回路に熱媒を循環させると共に浴槽水循環回路に浴槽水を循環させて、第２熱交換器において熱媒の熱にて浴槽水を昇温させる、所謂、間接加熱方式で追焚き運転を実行するものが知られている（特許文献１を参照）。
このような間接加熱方式の風呂装置の効率は、従来『定格（最大）出力で連続運転した際の投入熱量にて出力熱量を除算する』形態で算出されていたが、近年、より実際の使用状態に即した効率（例えば、断続運転をも含む状態で算出される効率）での評価を行うことが検討されている。
【先行技術文献】
【特許文献】
【０００３】
【特許文献１】特開２００９−１４４９３５号公報
【発明の概要】
【発明が解決しようとする課題】
【０００４】
発明者らは、上記特許文献１に示される風呂装置で間接加熱方式で追焚き運転を実行するときで、特に、実際の使用状態に即した効率、即ち、断続運転等をも含む状態で算出される効率での評価を行う場合、効率の改善の余地があることを見出した。具体的には、間接加熱方式で追焚き運転を実行するときには、燃焼式加熱装置が停止された後、燃焼式加熱装置での投入熱量のうち浴槽水への出力熱量として出力されず、熱媒循環回路側に熱媒の保有する熱として残存する熱量が多く存在するという知見を得た。
更に、上記特許文献１に開示の風呂装置にあっては、追焚き運転の停止後に、熱媒循環回路側の熱媒が保有する熱を有効に利用すべく、熱媒循環ポンプ及び浴槽水循環ポンプの停止操作に関し、熱量回収との関係で、どのように実行するのかについては、開示されておらず、改善の余地があった。
図４に基づいて説明を加えると、風呂装置にて追焚きスイッチがＯＮされると、熱媒循環ポンプ及び浴槽水循環ポンプが作動状態となった後、燃焼式加熱装置へ燃料ガスが投入され熱媒が加熱し昇温され、第１熱交換器（顕熱熱交換器及び潜熱熱交換器）の出力が発生すると共に、第２熱交換器での予熱及び受熱が発生し、浴槽に貯留される浴槽水を昇温する、追焚き運転が実行される。当該追焚き運転における燃焼式加熱装置での熱量投入は、浴槽から第２熱交換器への戻り浴槽水の温度である浴槽水戻り温度が目標湯張り温度に到達した時点（図４でＴ２で示される時点）で停止されるのであるが、例えば、当該時点の近傍で、熱媒循環ポンプ及び浴槽水循環ポンプも停止されると、Ｔ２の時点以降では、図４に示されるように、第１熱交換器（顕熱熱交換器及び潜熱熱交換器）及び第２熱交換器での交換熱量が急激に低下するため、熱媒循環回路側に保有される熱量が、浴槽への出力熱量として有効に利用されていないことを見出した。
【０００５】
本発明は、上述の課題に鑑みてなされたものであり、その目的は、間接加熱方式での追焚き運転において、熱媒循環回路側で保有する熱を有効に利用することで、効率を改善することが可能な風呂装置、及びその制御方法を提供することにある。
【課題を解決するための手段】
【０００６】
上記目的を達成するための本発明に係る風呂装置は、
熱媒加熱用の燃焼式加熱装置と、前記燃焼式加熱装置の燃焼により熱媒を加熱する第１熱交換器と、熱媒循環ポンプにて圧送される熱媒を循環する熱媒循環回路と、浴槽水循環ポンプにて圧送される浴槽水を浴槽を介して循環する浴槽水循環回路と、前記熱媒循環回路を通流する熱媒と前記浴槽水循環回路を通流する浴槽水とを熱交換させて浴槽水を加熱する第２熱交換器とを備えた風呂装置であって、その特徴構成は、
運転を制御する運転制御部を備え、
当該運転制御部が、前記燃焼式加熱装置の作動状態で、前記熱媒循環ポンプを作動させ前記熱媒循環回路に熱媒を循環させると共に前記浴槽水循環ポンプを作動させ前記浴槽水循環回路に浴槽水を循環させて、浴槽水を追焚きする追焚き運転を完了するときで、前記燃焼式加熱装置を停止した後に、前記第２熱交換器における熱媒から浴槽水への単位時間当たりでの回収熱量関連値である瞬時回収熱量関連値を導出すると共に、導出される前記瞬時回収熱量関連値が予め設定される瞬時回収熱量関連閾値未満となった時点以降に、前記熱媒循環ポンプ及び前記浴槽水循環ポンプを停止するものであり、
前記運転制御部は、前記浴槽水循環回路で前記第２熱交換器出口での浴槽水の温度を検出する浴槽水出温度検出手段にて検出される浴槽水往き温度と、前記浴槽水循環回路で前記第２熱交換器入口での浴槽水の温度を検出する浴槽水入温度検出手段にて検出される浴槽水戻り温度との温度差に基づいて、前記瞬時回収熱量関連値を導出する、
又は、前記熱媒循環回路で前記第２熱交換器への熱媒入温度を検出する熱媒入温度検出手段にて検出される熱媒入温度と、前記熱媒循環回路で前記第２熱交換器からの熱媒出温度を検出する熱媒出温度検出手段にて検出される熱媒出温度との温度差に基づいて、前記瞬時回収熱量関連値を導出する点にある。
また、上記目的を達成するための本発明に係る風呂装置の制御方法は、
熱媒加熱用の燃焼式加熱装置と、前記燃焼式加熱装置の燃焼により熱媒を加熱する第１熱交換器と、熱媒循環ポンプにて圧送される熱媒を循環する熱媒循環回路と、浴槽水循環ポンプにて圧送される浴槽水を浴槽を介して循環する浴槽水循環回路と、前記熱媒循環回路を通流する熱媒と前記浴槽水循環回路を通流する浴槽水とを熱交換させて浴槽水を加熱する第２熱交換器とを備えた風呂装置の制御方法であって、その特徴構成は、
前記燃焼式加熱装置の作動状態で、前記熱媒循環ポンプを作動させ前記熱媒循環回路に熱媒を循環させると共に前記浴槽水循環ポンプを作動させ前記浴槽水循環回路に浴槽水を循環させて、浴槽水を追焚きする追焚き運転を完了するときで、前記燃焼式加熱装置を停止した後に、前記第２熱交換器における熱媒から浴槽水への単位時間当たりでの回収熱量関連値である瞬時回収熱量関連値を導出する瞬時回収熱量関連値導出工程と、
前記瞬時回収熱量関連値導出工程にて導出される前記瞬時回収熱量関連値が予め設定される瞬時回収熱量関連閾値未満となった時点以降に、前記熱媒循環ポンプ及び前記浴槽水循環ポンプを停止する流体循環制御工程とを有し、
前記瞬時回収熱量関連値導出工程では、前記浴槽水循環回路で前記第２熱交換器出口での浴槽水の温度を検出する浴槽水出温度検出手段にて検出される浴槽水往き温度と、前記浴槽水循環回路で前記第２熱交換器入口での浴槽水の温度を検出する浴槽水入温度検出手段にて検出される浴槽水戻り温度との温度差に基づいて、前記瞬時回収熱量関連値を導出する、
又は、前記熱媒循環回路で前記第２熱交換器への熱媒入温度を検出する熱媒入温度検出手段にて検出される熱媒入温度と、前記熱媒循環回路で前記第２熱交換器からの熱媒出温度を検出する熱媒出温度検出手段にて検出される熱媒出温度との温度差に基づいて、前記瞬時回収熱量関連値を導出する点にある。 
【０００７】
上記特徴構成によれば、浴槽水を追焚きする追焚き運転を完了するときで、燃焼式加熱装置を停止した後に、流体循環制御では、燃焼式加熱装置の停止後も、積極的に熱媒循環ポンプ及び浴槽水循環ポンプの作動状態を維持するから、燃焼式加熱装置の停止後に熱媒循環回路の熱媒が保有する熱を浴槽水の側へ移動させることができる。これにより、燃焼式加熱装置への投入熱量のうち出力熱量として出力される熱量が増加するため、効率（出力熱量／投入熱量）を向上させることができる。
更に、追焚き運転を完了するときで燃焼式加熱装置を停止した後に、追焚き運転時において加熱された熱媒循環回路の熱媒と浴槽水とを熱交換器する第２熱交換器において、熱媒から浴槽水への単位時間当たりでの回収熱量関連値である瞬時回収熱量関連値を導出すると共に、当該瞬時回収熱量関連値が予め設定される瞬時回収熱量関連閾値未満となった時点以降に、熱媒循環ポンプ及び浴槽水循環ポンプを停止するから、熱媒循環ポンプ及び浴槽水循環ポンプの停止する時点を、第２熱交換器にて熱媒から浴槽水へ回収される熱量が一定値未満となった時点以降、即ち、熱媒循環回路を循環する熱媒が保有する熱量の大半が浴槽水循環回路を循環する浴槽水側へ移動した時点以降とすることができ、効率を効果的に改善できる。
尚、熱媒循環回路の熱媒が保有する熱量を浴槽水の側へ適切に移動させて効率を改善する観点からは、熱媒循環ポンプ及び浴槽水循環ポンプを停止する時点は、瞬時回収熱量関連値が予め設定される瞬時回収熱量関連閾値未満となった時点以降であれば、どの時点でも構わないが、遅くとも瞬時回収熱量関連値が零となる時点には、双方を停止するものとする。
また、熱媒循環ポンプ及び浴槽水循環ポンプの駆動電力をも含めた効率を改善する意味からは、双方を瞬時回収熱量関連値が予め設定される瞬時回収熱量関連閾値未満となった時点で停止することが好ましい。
【０００９】
上記特徴構成によれば、第２熱交換器の出口での浴槽水の温度である浴槽水往き温度と、第２熱交換器の入口での浴槽水の温度である浴槽水戻り温度とに基づいて、例えば、浴槽水往き温度から浴槽水戻り温度を減算した値としての温度差を、瞬時回収熱量関連値として導出することができる。従って、運転制御部は、当該瞬時回収熱量関連値が瞬時回収熱量関連閾値（例えば、３ｄｅｇ）以上のときには、熱媒循環回路の熱媒にまだ回収可能な熱量が保持されていると判断して、熱媒循環ポンプ及び浴槽水循環ポンプを作動状態に維持し、瞬時回収熱量関連値が瞬時回収熱量関連閾値未満の時点以降では、熱媒循環回路の熱媒が保有する熱を回収しきったと判断し、熱媒循環ポンプ及び浴槽水循環ポンプを停止させる。
即ち、第２熱交換器における浴槽水の入温度及び出温度を監視し、瞬時回収熱量関連値を導出し、それに基づいて、熱媒循環ポンプ及び浴槽水循環ポンプの作動状態を制御するという比較的簡易な制御によって、効率を改善できる。
【００１１】
上記特徴構成によれば、例えば、第２熱交換器への熱媒の入温度から出温度を減算した値としての温度差を瞬時回収熱量関連値として導出することができ、当該瞬時回収熱量関連値に基づいて、熱媒循環ポンプ及び浴槽水循環ポンプの作動状態を制御するという比較的簡易な制御によって、効率を改善できる。
【００１６】
本発明の風呂装置の更なる特徴構成は、
前記運転制御部は、前記浴槽水循環ポンプを停止する時点を、前記熱媒循環ポンプを停止する時点と同時か、又はそれよりも遅い時点とする点にある。
【００１７】
上記特徴構成によれば、浴槽水循環ポンプを停止する時点を、熱媒循環ポンプを停止する時点と同時か、又はそれよりも遅い時点とすることで、浴槽水の浴槽水往き温度（浴槽往き路の浴槽水の温度：瞬時回収熱量関連値の一例）が瞬時回収熱量関連閾値未満となる前の時点であっても、当該瞬時回収熱量関連閾値以上の温度の湯水にて、浴槽内の湯水を撹拌する形態で、浴槽内での湯水を略一定にした状態で、追焚き運転を完了できる。
尚、本発明にあっては、燃焼式加熱装置を停止した後で、熱媒循環ポンプ及び浴槽水循環ポンプを作動状態に維持するから、熱媒循環ポンプの停止時点で、熱媒循環回路側から浴槽水循環回路側への予熱量は十分に小さくなっているため、熱媒循環ポンプの停止時点から浴槽水循環ポンプの停止時点までの期間を十分に小さくできる。
【００１８】
本発明の風呂装置の更なる特徴構成は、
前記運転制御部は、第１の前記瞬時回収熱量関連値と、当該第１の瞬時回収熱量関連値とは異なる第２の前記瞬時回収熱量関連値とを導出可能に構成され、
前記運転制御部は、第１の前記瞬時回収熱量関連値が予め設定される第１の前記瞬時回収熱量関連閾値未満となった時点以降に、前記熱媒循環ポンプを停止すると共に、第２の前記瞬時回収熱量関連値が第１の前記瞬時回収熱量関連閾値とは異なり予め設定される第２の前記瞬時回収熱量関連閾値未満となった時点以降に、前記浴槽水循環ポンプを停止する点にある。
【００１９】
上記特徴構成によれば、熱媒循環ポンプと浴槽水循環ポンプとを各別に停止処理することができる。
【図面の簡単な説明】
【００２０】
【図１】本発明の風呂装置の概略構成図
【図２】本発明に係る風呂装置の制御を示す説明図
【図３】追炊き運転におけるポストポンプ時間を決定するフローチャート
【図４】追焚き運転時におけるガス入力、熱交換器での出力を示すグラフ図
【発明を実施するための形態】
【００２１】
本発明は、所謂、間接加熱方式の風呂装置において、特に、追炊き運転中に熱媒循環回路側で保有する熱を有効に利用することで、効率を改善することが可能な風呂装置及びその制御方法に関する。以下、本発明の実施形態を図面に基づいて説明する。
風呂装置１００は、暖房端末ＨＵ、ＬＵに熱を供給すると共に浴槽１０及び給湯栓３３に温度調整した湯水を供給すべく、熱媒及び湯水を供給可能な熱源機Ｇと、当該熱源機Ｇの運転を制御する運転制御部Ｃと、その運転制御部Ｃに各種運転指令を指令するメインリモコンＲ１及び浴室リモコンＲ２とを備えて構成されている。
ちなみに、メインリモコンＲ１は炊事場の近傍に設置され、浴室リモコンＲ２は浴槽１０が設置された浴室内に設けられている。
【００２２】
〔熱源機に係る構成〕
図１に示すように、熱源機Ｇは、ケーシング５１により外囲されるものであり、一般家庭用の水道管に接続された給水路Ｌ２からの水をガス燃焼式の給湯用バーナｇ１により加熱して、加熱後の湯水を給湯栓３３や浴槽１０へ供給する給湯用加熱部Ｈ１と、ガス燃焼式の熱媒加熱用バーナｇ２により高温暖房端末ＨＵ、及び低温暖房端末ＬＵへ循環供給する熱媒や浴槽１０の内部に貯留される浴槽水を追焚きする熱媒を加熱する熱媒加熱部Ｈ２（燃焼式加熱装置の一例）とを備えて構成されている。ちなみに、高温暖房端末ＨＵとしては浴室暖房乾燥機が、低温暖房端末ＬＵとしては床暖房装置が設けられている。
【００２３】
図１に示すように、給湯用加熱部Ｈ１に備えられる給湯用バーナｇ１には、一般家庭用の燃料ガス（例えば、都市ガス１３Ａ）を供給する第１ガス供給路２１ａが接続されており、熱媒加熱部Ｈ２に備えられる熱媒加熱用バーナｇ２にも、燃料ガスを供給する第２ガス供給路２１ｂが接続されている。第１ガス供給路２１ａ及び第２ガス供給路２１ｂの夫々には、図１に示すように、燃料ガスの供給を断続する開閉弁Ｖ１、Ｖ３と、燃料ガス供給量を調整する電磁式のガス比例弁Ｖ２、Ｖ４が夫々設けられている。また、給湯用加熱部Ｈ１及び熱媒加熱部Ｈ２には、給湯用バーナｇ１及び熱媒加熱用バーナｇ２の夫々に、燃焼用空気を供給する燃焼用ファン１２ａ、１２ｂが設けられている。
尚、図示は省略するが、給湯用バーナｇ１及び熱媒加熱用バーナｇ２の近傍には、点火用のイグナイタ及び着火を検出するフレームロッドが設けられている。
給湯用加熱部Ｈ１及び熱媒加熱部Ｈ２には、図１に示すように、バーナｇ１、ｇ２の燃焼排ガスの顕熱を主に回収する主熱交換器ＥＸ１、ＥＸ３と、潜熱を主に回収する副熱交換器ＥＸ２、ＥＸ４とを備えて構成されている。ここで、主熱交換器ＥＸ１、ＥＸ３と副熱交換器ＥＸ２、ＥＸ４とは、給湯用バーナｇ１及び熱媒加熱用バーナｇ２から排気路２２へ向かう燃焼排ガスの流動方向において、副熱交換器ＥＸ２、ＥＸ４が主熱交換器ＥＸ１、ＥＸ３よりも下流側に位置する状態で配設されている。尚、本発明にあっては、熱媒加熱部Ｈ２に設けられる主熱交換器ＥＸ３と副熱交換器ＥＸ４とが第１熱交換器として機能する。
これにより、給湯用加熱部Ｈ１においては、湯水が、副熱交換器ＥＸ２にて主として給湯用バーナｇ１の燃焼排ガスの潜熱により加熱された後、主熱交換器ＥＸ１にて主として給湯用バーナｇ１の燃焼排ガスの顕熱により加熱される。また、熱媒加熱部Ｈ２においては、熱媒が、副熱交換器ＥＸ４にて主として熱媒加熱用バーナｇ２の燃焼排ガスの潜熱により加熱された後、主熱交換器ＥＸ３にて主として熱媒加熱用バーナｇ２の燃焼排ガスの顕熱により加熱される。
【００２４】
給湯用加熱部Ｈ１の副熱交換器ＥＸ２及び熱媒加熱部Ｈ２の副熱交換器ＥＸ４からは、燃焼生成水である酸性の凝縮水、即ち、ドレンが生成するが、当該ドレンはドレンパン２３に集められ中和器２４にて中和された後、ドレンタンク２５に貯留されるように構成されている。ドレンタンク２５には、ドレンの貯留量が上限貯留量以上であることを検出するドレンセンサＳ１が設けられおり、当該ドレンセンサＳ１にてドレンの貯留量が上限貯留量以上であることが検出されると、ドレン排水ポンプＰ３が作動し、ドレンタンク２５に貯留されているドレンが、排水管Ｌ１の排出口１２を介して、浴室の床面に設けられた排水口１３から外部に排出されるように構成されている。ちなみに、排水管Ｌ１のうち熱源機Ｇの外部（ケーシング５１の外側）に位置する部分は、後述する浴槽戻り路Ｌ７のうち、熱源機Ｇの外側に配設される浴槽戻り外管Ｌ７ｂの内部に配設されている。
【００２５】
〔給湯に係る構成〕
給水路Ｌ２が、給湯用加熱部Ｈ１の副熱交換器ＥＸ２の入口に接続され、一端に給湯栓３３を有する給湯路Ｌ４の他端が、給湯用加熱部Ｈ１における主熱交換器ＥＸ１の出口に接続されている。これにより、給水路Ｌ２から供給される湯水は、副熱交換器ＥＸ２及び主熱交換器ＥＸ１にて順に加熱された後、給湯路Ｌ４を介して給湯栓３３から供給される。
【００２６】
給水路Ｌ２には、給水温度を検出する給水サーミスタＳ７と給水流量を検出する流量センサＳ８とが設けられ、給水路Ｌ２における給水サーミスタＳ７及び流量センサＳ８よりも下流側の箇所が、主熱交換器ＥＸ１及び副熱交換器ＥＸ２を迂回する給水バイパス路Ｌ３にて、給湯路Ｌ４に接続されている。
給湯路Ｌ４には、給水バイパス路Ｌ３の接続箇所よりも上流側に、主熱交換器ＥＸ１からの湯水温度を検出する出湯サーミスタＳ４が設けられ、給湯路Ｌ４における給水バイパス路Ｌ３の接続箇所よりも下流側には、上流側から順に、給湯としての湯水温度を検出する給湯サーミスタＳ６、湯水流量を調整可能な比例弁Ｖ９、一般給湯の割り込みを検出する割り込み検出用水量センサＳ９が設けられている。
また、給湯路Ｌ４と給水バイパス路Ｌ３との接続箇所には、主熱交換器ＥＸ１からの湯水流量と給水バイパス路Ｌ３からの湯水流量との混合比を調整可能なミキシング弁Ｖ１１が設けられている。
以上より、各サーミスタ及び流量センサの出力に基づいて、給水バイパス路Ｌ３を通流する流量が調整される形態で、給湯温度がメインリモコンＲ１にて設定される目標給湯温度に調整され、給湯栓３３から給湯される。
【００２７】
〔熱媒循環に係る構成〕
熱媒循環回路は、熱媒加熱部Ｈ２の主熱交換器ＥＸ３の出口から流出した熱媒を、熱媒と浴槽１０に貯留される浴槽水とを熱交換する追焚き熱交換器ＥＸ５（第２熱交換器の一例）に通過させ熱媒加熱部Ｈ２の副熱交換器ＥＸ４の入口へ戻す追焚き回路Ｃ１と、熱媒加熱部Ｈ２の主熱交換器ＥＸ３の出口から流出した熱媒を高温暖房端末ＨＵを通過させ熱媒加熱部Ｈ２の副熱交換器ＥＸ４の入口へ戻す高温暖房回路Ｃ２と、熱媒加熱部Ｈ２の主熱交換器ＥＸ３の出口から流出した熱媒を追焚き熱交換器ＥＸ５と高温暖房端末ＨＵとをバイパス状態で熱媒加熱部Ｈ２の副熱交換器ＥＸ４の出口へ導く熱媒バイパス路Ｌ９と、熱媒加熱部Ｈ２の主熱交換器ＥＸ３の出口から流出した熱媒を熱媒バイパス路Ｌ９を介して低温暖房端末ＬＵを通過させ熱媒加熱部Ｈ２の副熱交換器ＥＸ４の入口へ戻す低温暖房回路Ｃ３とを備えている。
熱媒バイパス路Ｌ９には、熱媒のバイパス流量を調整可能なバイパス用熱動弁Ｖ１２が設けられ、追焚き回路Ｃ１には、追焚き熱交換器ＥＸ５を通過する熱媒流量を調整可能な追焚き用熱動弁Ｖ８が設けられ、高温暖房回路Ｃ２には、高温暖房端末ＨＵを通過する熱媒流量を調整可能な高温暖房用熱動弁Ｖ１０が設けられ、低温暖房回路Ｃ３には、低温暖房端末ＬＵを通過する熱媒流量を調整可能な低温暖房用熱動弁Ｖ１３が設けられている。
また、熱媒加熱部Ｈ２の副熱交換器ＥＸ４の出口と主熱交換器ＥＸ３の入口との間には、熱媒を副熱交換器ＥＸ４から主熱交換器ＥＸ３の側へ圧送する熱媒循環ポンプＰ２が設けられている。
更に、熱媒加熱部Ｈ２の主熱交換器ＥＸ３の出口には、当該出口から流出する湯水温度を検出する第１熱媒サーミスタＳ３が設けられると共に、図示は省略するが低温暖房端末ＬＵ及び高温暖房端末ＨＵの内部には、自身を通過した熱媒の温度を検出する高温暖房サーミスタ及び低温暖房サーミスタが夫々備えられている。
尚、熱媒加熱部Ｈ２の副熱交換器ＥＸ４への入口には、熱媒の膨張を吸収可能な膨張タンク５０が設けられている。
【００２８】
〔追焚きに係る構成〕
追焚き熱交換器ＥＸ５の湯水出口と浴槽１０の側壁部下方側に装着された循環アダプタ１１とが、浴槽往き路Ｌ８にて接続され、循環アダプタ１１と追焚き熱交換器ＥＸ５の湯水入口とが、浴槽戻り路Ｌ７にて接続され、その浴槽戻り路Ｌ７に、浴槽１０の湯水を吸引して追焚き熱交換器ＥＸ５へ送出する浴槽水循環ポンプＰ１が設けられている。
説明を追加すると、浴槽往き路Ｌ８が、熱源機Ｇの内部に位置する浴槽往き内管Ｌ８ａと、熱源機Ｇから外部へ延出されて、循環アダプタ１１の往き用接続部１１ａに接続される浴槽往き外管Ｌ８ｂとから構成され、また、浴槽戻り路Ｌ７が、熱源機Ｇの内部に位置する浴槽戻り内管Ｌ７ａと、熱源機Ｇから外部へ延出されて、循環アダプタ１１の戻り用接続部１１ｂに接続される浴槽戻り外管Ｌ７ｂとから構成されている。
浴槽戻り路Ｌ７には、上流側から順に、浴槽戻り路Ｌ７の内部の湯水の圧力を検出することによって浴槽１０内の水位を検出する水位センサＳ１０、浴槽１０から戻る浴槽水の温度を検出する浴槽戻りサーミスタＳ２、浴槽戻り路Ｌ７を開閉する電磁式の開閉弁Ｖ７、上述した浴槽水循環ポンプＰ１、及び水流スイッチ４１が設けられている。
また、浴槽往き路Ｌ８には、浴槽１０に供給される湯水の温度を検出する浴槽往きサーミスタＳ５が設けられている。
【００２９】
〔湯張りに係る構成〕
給湯路Ｌ４における比例弁Ｖ９と割り込み検出用水量センサＳ９との間の箇所から、給湯路Ｌ４からの湯水を浴槽１０へ供給するための湯張り路Ｌ５が分岐されて、その湯張り路Ｌ５が、浴槽戻り路Ｌ７における浴槽水循環ポンプＰ１と水流スイッチ４１との間に接続されている。当該湯張り路Ｌ５には、上流側から順に、湯張り路Ｌ５を開閉する電磁式の開閉弁Ｖ５と、湯張り路Ｌ５に連通する空気層形成用ホッパ４０と、逆止弁４２とが設けられている。
空気層形成用ホッパ４０には、湯水を排水する排水路Ｌ６と、当該排水路Ｌ６を開閉する電磁式の排水弁Ｖ６とが設けられ、排水路Ｌ６の下流側端部が浴槽戻り路Ｌ７における開閉弁Ｖ７と浴槽水循環ポンプＰ１との間に接続されている。
従って、開閉弁Ｖ５を開弁すると、給湯用加熱部Ｈ１にて加熱され湯張り路Ｌ５を介して供給される湯水が、浴槽戻り路Ｌ７に供給され、浴槽戻り路Ｌ７に供給された湯水が浴槽１０側と追焚き熱交換器ＥＸ５側の両側に向けて分流する形態で供給されることになる。即ち、湯張り路Ｌ５を介して供給される湯水は、浴槽往き路Ｌ８及び浴槽戻り路Ｌ７の両方を介して浴槽１０に供給される。
【００３０】
〔熱源機の運転制御〕
熱源機Ｇは、上述した機器類を装備するものであって、上述の説明から明らかなように、加熱した湯水を給湯栓３３に供給する給湯処理、加熱した湯水を浴槽１０へ供給する湯張り処理、加熱した熱媒を暖房端末ＨＵ、ＬＵへ循環供給する端末加熱処理、及び浴槽１０内の浴槽水を加熱する追焚き処理、並びにドレン排水処理を行うように構成されている。
【００３１】
即ち、運転制御部Ｃが、後述する如く、メインリモコンＲ１や浴室リモコンＲ２の指令情報、及びケーシング５１の内部に装備したセンサ類の検出情報に基づいて、ケーシング５１の内部に装備した機器類を作動させて、給湯処理に対応する給湯運転、湯張り処理に対応する自動湯張り運転、自動湯張り運転に続いて行う保温運転、浴槽１０に追加で湯張り給湯する足し湯運転、端末加熱処理に対応する暖房運転、及び追焚き処理に対応する追焚き運転、並びに、ドレン排水処理に対応するドレン排水運転を実行するように構成されている。
【００３２】
〔リモコンに係る構成〕
メインリモコンＲ１及び浴室リモコンＲ２は、同様に構成されるものであり、以下、メインリモコンＲ１を代表にして説明する。
図１に示すように、メインリモコンＲ１には、運転の開始と停止を指令する運転スイッチＳｗ１、自動湯張り運転指令を指令する風呂自動スイッチＳｗ２、給湯温度を設定する給湯温度設定スイッチＳｗ３、設定湯張り温度としての目標湯張り温度を設定する浴槽温度設定スイッチＳｗ４、浴槽１０の浴槽水の目標水位を設定する水位設定スイッチＳｗ５、浴槽１０に追加で湯張り給湯する足し湯スイッチＳｗ６、追焚き運転指令をする追焚きスイッチＳｗ７、設定温度等の各種情報を表示する表示部８１、暖房運転の開始を指令する暖房運転スイッチＳｗ８、及び湯張りが終了したこと等を報知する報知装置８２等が設けられている。
【００３３】
尚、ここで、追焚き運転、低温暖房運転、及び高温暖房運転に関し、熱媒循環回路側の制御について説明を加える。
〔追焚き運転〕
運転制御部Ｃは、追焚きスイッチＳｗ７がＯＮされ、追焚き運転、低温暖房運転、及び高温暖房運転のうち、追焚き運転のみを実行する場合、所定の温度（例えば、８０℃）の熱媒を所定の流量で追焚き熱交換器ＥＸ５へ通流させるべく、熱媒循環ポンプＰ２を作動させ、熱媒加熱部Ｈ２を作動状態にし、追焚き用熱動弁Ｖ８を所定の開度に制御する。
このとき、運転制御部Ｃは、高温暖房用熱動弁Ｖ１０、低温暖房用熱動弁Ｖ１３、及びバイパス用熱動弁Ｖ１２を全閉とする。
【００３４】
〔高温暖房運転〕
運転制御部Ｃは、暖房運転スイッチＳｗ８がＯＮされ、追焚き運転、低温暖房運転、及び高温暖房運転のうち、高温暖房運転のみを実行する場合、所定の温度（例えば、８０℃）の熱媒を所定の流量で高温暖房端末ＨＵへ通流させるべく、熱媒循環ポンプＰ２を作動させ、熱媒加熱部Ｈ２を作動状態にし、高温暖房用熱動弁Ｖ１０を所定の開度に制御する。
このとき、運転制御部Ｃは、追焚き用熱動弁Ｖ８、低温暖房用熱動弁Ｖ１３、及びバイパス用熱動弁Ｖ１２を全閉とする。
〔低温暖房運転〕
運転制御部Ｃは、暖房運転スイッチＳｗ８がＯＮされ、追焚き運転、低温暖房運転、及び高温暖房運転のうち、低温暖房運転のみを実行する場合、所定の温度（例えば、６０℃）の熱媒を所定の流量で低温暖房端末ＬＵへ通流させるべく、熱媒循環ポンプＰ２を作動させ、熱媒加熱部Ｈ２を作動状態にし、低温暖房用熱動弁Ｖ１３を所定の開度に制御すると共に、バイパス用熱動弁Ｖ１２を所定の開度に制御する。
このとき、運転制御部Ｃは、追焚き用熱動弁Ｖ８、高温暖房用熱動弁Ｖ１０を全閉とする。
【００３５】
〔追焚き運転におけるポンプ制御〕
本発明に係る運転制御部Ｃは、浴槽１０への湯張り運転が完了した状態で当該湯張り運転に続いて保温運転が行われている場合、又は湯張り運転が完了してメインリモコンＲ１又は浴室リモコンＲ２の追焚きスイッチＳｗ７が押下された場合、浴槽１０に貯留される湯水を目標湯張り温度へ昇温させる追焚き運転を実行する。
当該追焚き運転に関し、運転制御部Ｃは、追焚き運転を完了するときで、熱媒加熱部Ｈ２の熱媒加熱用バーナＧ２を停止した後に、追焚き熱交換器ＥＸ２における熱媒から浴槽水への単位時間当たりの回収熱量関連値である瞬時回収熱量関連値を導出すると共に、導出した瞬時回収熱量関連値が予め設定される瞬時回収熱量関連閾値未満となった時点以降に、熱媒循環ポンプＰ２及び浴槽水循環ポンプＰ１を停止する。
図２のグラフ図、及び図３の制御フローに基づいて説明を加えると、運転制御部Ｃは、追焚き運転を開始する場合、高温暖房用熱動弁Ｖ１０とバイパス用熱動弁Ｖ１２と低温暖房用熱動弁Ｖ１３とを所定の開度に維持している状態で、熱媒循環ポンプＰ２を作動させ、追焚き熱交換器ＥＸ５に熱媒を通過させると共に、浴槽戻り路Ｌ７の開閉弁Ｖ７を開弁させている状態で、浴槽水循環ポンプＰ２を作動させ、追焚き熱交換器ＥＸ５に浴槽１０に貯留されている浴槽水を通過させる（♯０１）。
ここで、図２では、熱媒加熱部Ｈ２にて熱媒の加熱を開始する時期と、熱媒循環ポンプＰ２と浴槽水循環ポンプＰ１の作動を開始する時期とは、同じ時期（例えば、追焚きスイッチＳｗ７がＯＮした直後）であるように示しているが、熱媒循環ポンプＰ２及び浴槽水循環ポンプＰ１の作動を開始する時期を、熱媒加熱部Ｈ２にて熱媒の加熱を開始する時期よりも早い時期に設定しても構わない。
運転制御部Ｃは、浴槽戻りサーミスタＳ２にて検出される浴槽水戻り温度が、浴室リモコンＲ２の浴槽温度設定スイッチＳｗ４にて設定される目標湯張り温度以上となるまでの間（図２でＴ１からＴ２までの間）、熱媒加熱部Ｈ２による熱媒加熱用バーナｇ２を作動させ、浴槽水戻り温度が目標湯張り温度以上となった場合（♯０２：図２でＴ２の時点に到達した場合）、熱媒加熱部Ｈ２の熱媒加熱用バーナｇ２による加熱を停止する（♯０３）。
ここで、運転制御部Ｃは、浴槽往きサーミスタＳ５（浴槽水出温度検出手段の一例）にて検出される浴槽往き温度から浴槽戻りサーミスタＳ２（浴槽水入温度検出手段の一例）にて検出される浴槽戻り温度を減算した値（図２で上側のグラフに示される値：瞬時回収熱量関連値の一例）を導出する（♯０４：瞬時回収熱量関連値導出工程の一例）と共に、当該導出した値が瞬時回収熱量関連閾値ΔＸ（例えば、３ｄｅｇ）以上であるときには、熱媒循環ポンプＰ２及び浴槽水循環ポンプＰ１を作動させ続け、瞬時回収熱量関連閾値ΔＸ（例えば、３ｄｅｇ）未満となった時点（図２でＴ３で示す時点）以降に、熱媒循環ポンプＰ２及び浴槽水循環ポンプＰ１を停止する（♯０４、♯０５：流体循環状態制御工程の一例）。
この後、運転制御部Ｃは、追焚き用熱動弁Ｖ８を閉弁すると共に、浴槽戻り路Ｌ７に設けられる開閉弁Ｖ７を閉弁し、追焚き運転を終了する。
尚、浴槽水循環ポンプＰ２を停止する時点は、熱媒循環ポンプＰ１を停止する時点よりも、Δｔ（例えば、数秒〜数十秒程度）遅い時点とすることが好ましい。これにより、浴槽１０に貯留される浴槽水を撹拌する形態で、全体の湯水温度を略均一にすることができる。 
【００３６】
上記実施形態において、図３の♯０４に示す瞬時回収熱量関連値導出工程、及び流体循環制御工程では、浴槽往き温度と浴槽戻り温度とに基づいて瞬時回収熱量関連値を導出し、導出した瞬時回収熱量関連値に基づいて熱媒循環ポンプＰ２及び浴槽水循環ポンプＰ１を停止する流体循環制御を実行したが、他の構成として、浴槽往き温度と浴槽戻り温度以外のパラメータを用いて、瞬時回収熱量関連値を導出する。
追焚き回路Ｃ１の追焚き熱交換器ＥＸ５の入口の熱媒入温度を測定するサーミスタ（熱媒入温度検出手段の一例）と、出口の熱媒出温度を測定するサーミスタ（熱媒出温度検出手段の一例）とを備え、運転制御部Ｃは、熱媒入温度から熱媒出温度を減算した値（瞬時回収熱量関連値の一例）が、瞬時回収熱量関連閾値（例えば、３ｄｅｇ）未満となった時点で、熱媒循環ポンプＰ２及び浴槽水循環ポンプＰ１を停止する制御を実行する。
【００３７】
（１）上記実施形態において、浴槽水循環ポンプＰ１の停止時点は、熱媒循環ポンプＰ２の停止時点より遅い時点としたが、別に、熱媒循環ポンプＰ２と同時に停止しても構わない。
また、熱媒循環回路Ｃ１の熱媒が保有する熱量を浴槽水の側へ適切に移動させて効率を改善する観点からは、熱媒循環ポンプＰ２及び浴槽水循環ポンプＰ１を停止する時点は、瞬時回収熱量関連値が予め設定される瞬時回収熱量関連値下限閾値未満となった時点以降としたが、遅くとも瞬時回収熱量関連値が零となる時点には、双方を停止するものとする。
また、熱媒循環ポンプＰ２及び浴槽水循環ポンプＰ１の駆動電力をも含めた効率を改善する意味からは、双方を瞬時回収熱量関連値が予め設定される瞬時回収熱量関連値下限閾値未満となった時点で停止することが好ましい。 
【００４１】
（２）浴槽水循環ポンプＰ１と熱媒循環ポンプＰ２はそれぞれ異なる瞬時回収熱量関連値によって独立に停止しても構わない。例えば、運転制御部Ｃは、追焚き熱交換器ＥＸ５での浴槽水入温度と浴槽水往き温度の温度差に基づいて導出された瞬時回収熱量関連値が予め設定される第１の瞬時回収熱量関連閾値未満となった時点で、浴槽水循環ポンプＰ１を停止し、追焚き熱交換器ＥＸ５での熱媒入温度と熱媒出温度の温度差に基づいて導出された瞬時回収熱量関連値が第１の瞬時回収熱量関連閾値とは異なり予め設定される第２の瞬時回収熱量関連閾値未満となった時点、熱媒循環ポンプＰ２を停止する制御を実行可能に構成しても構わない。
ただし、浴槽水循環ポンプＰ１が停止した時点で、熱媒循環ポンプＰ２が停止していない場合は、熱媒循環ポンプＰ２を強制的に浴槽水循環ポンプＰ１と同時に停止する。
【００４２】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００４３】
本発明は、間接加熱方式での追焚き運転において、熱媒循環回路側で保有する熱を有効に利用することで、効率を改善することが可能な風呂装置及びその制御方法として、良好に実施可能である。
【符号の説明】
【００４４】
１０      ：浴槽
２２      ：排気路
Ｃ        ：運転制御部
Ｃ１      ：追焚き回路
ＥＸ３    ：主熱交換器
ＥＸ４    ：副熱交換器
ＥＸ５    ：追焚き熱交換器
Ｇ        ：熱源機
Ｈ２      ：熱媒加熱部
Ｐ１      ：浴槽水循環ポンプ
Ｐ２      ：熱媒循環ポンプ
Ｓ２      ：浴槽戻りサーミスタ
Ｓ５      ：浴槽往きサーミスタ
【図１】
0006429581.tif 000002
【図２】
0006429581.tif 000003
【図３】
0006429581.tif 000004
【図４】
0006429581.tif 000005